(57)【要約】【課題】本発明は、演奏者がソフトケースにギター等弦楽器を収納した状態で、重大な損傷を受けやすい箇所を重点的に保護し、外観を損なわず、軽量であり、デザインの自由度を確保できてファッション性にも優れた、ギターソフトケース用のプロテクタを提供することを目的とする。【解決手段】本発明に係るギターソフトケース用プロテクタは、ソフトケースに収納されるギターの損傷を防ぐために、ソフトケースに装着される保護材を備えるギターソフトケース用プロテクタであって、保護材は、金属又は硬質樹脂から製造されて、ソフトケースの正面又は裏面に配置されるものであり、ソフトケースの正面視で保護材を投影してみたときに、保護材は、ギターのボディと重なる、或いはギターのボディとネック本体とのジョイントと重なることを特徴とする。【選択図】図５
2017079887.tif 000002
【特許請求の範囲】
【請求項１】
ソフトケースに収納されるギターの損傷を防ぐために、前記ソフトケースに装着される保護材を備えるギターソフトケース用プロテクタであって、
前記保護材は、金属又は硬質樹脂から製造されて、前記ソフトケースの正面又は裏面に配置されるものであり、
前記ソフトケースの正面視で前記保護材を投影してみたときに、前記保護材は、前記ギターのボディと重なる、或いは前記ギターのボディとネック本体とのジョイントと重なることを特徴とするギターソフトケース用プロテクタ。
【請求項２】
前記保護材は、前記ソフトケースの正面又は裏面に配置される基部と、当該基部から上方に延伸する第一のアーム部と、前記基部から下方に延伸する第二のアーム部とを備え、
前記ソフトケースの正面視で前記基部を投影してみたときに、前記基部は、前記ジョイントと重なり、
前記第一のアーム部や前記第二のアーム部は、前記基部が配置される前記ソフトケースの正面又は裏面から前記ソフトケースの反対面にかけて延伸することを特徴とする請求項１に記載のギターソフトケース用プロテクタ。
【請求項３】
前記第一のアーム部は、前記ギターのネック本体を抱き込むように延伸し、
前記第二のアーム部は、前記ギターのボディのくびれ部分を抱き込むように延伸することを特徴とする請求項２に記載のギターソフトケース用プロテクタ。
【請求項４】
前記第一のアーム部は、前記ソフトケースの正面から前記ソフトケースの裏面へ延伸するものであり、
前記保護材は、前記第一のアーム部から上方に延伸する延伸部と、前記延伸部から上方に延伸する第三のアーム部とを、さらに備え、
前記延伸部は、前記ソフトケースの裏面で襷がけになって、前記ソフトケースの正面へ延伸し、
前記第三のアーム部は、前記ソフトケースの正面で襷がけになって、前記ギターのネックヘッドを抱き込むように前記ソフトケースの裏面へ延伸することを特徴とする請求項２又は３に記載のギターソフトケース用プロテクタ。
【請求項５】
前記保護材は、少なくとも二つに分割されて開閉可能に構成されていることを特徴とする請求項２又は３に記載のギターソフトケース用プロテクタ。
【請求項６】
前記保護材は、前記ソフトケースの裏面に沿って前記ソフトケースの頂部から底部まで上下に延びる一対の基部と、前記一対の基部の下端に設けられる嵌合部と、前記一対の基部の上端に設けられるヘッド保護部とを備え、
前記ソフトケースの正面視で前記ギターのネック本体やネックヘッドを投影してみたとき、前記ギターのネック本体やネックヘッドは、前記一対の基部の間に収まっており、
前記嵌合部は、前記一対の基部の下端から前記ソフトケースの正面側に延びる一対の下端延伸部と、当該一対の下端延伸部の先端から前記ソフトケースの正面に沿って上方に延びる一対の上方延伸部とを備えて、当該一対の上方延伸部と前記一対の基部とによって前記ソフトケースの底部が挟持され、
前記ヘッド保護部は、前記一対の基部の上端同士を連結する第一連結部と、前記一対の基部の上端から前記ソフトケースの正面側に延びる一対の頂部延伸部と、前記ソフトケースの正面側で前記一対の頂部延伸部の先端同士を連結する第二連結部とを備え、
前記ソフトケースの頂部からの側面視で前記ネックヘッドを投影してみたときに、前記ネックヘッドは、前記第一連結部と前記一対の頂部延伸部と前記第二連結部とにより囲まれる範囲内に位置することを特徴とする請求項１に記載のギターソフトケース用プロテクタ。
【請求項７】
前記保護材が、前記ソフトケースの正面又は裏面に沿って前記ソフトケースの頂部から底部まで上下に延びることで、前記ギターにおける、ボディ、ボディとネック本体とのジョイント、ネック本体、及びネックヘッドが前記保護材によって保護されることを特徴とする請求項１に記載のギターソフトケース用プロテクタ。
【請求項８】
前記保護材は、前記ソフトケースの幅方向に離間する一対の枠材を備え、
前記枠材の各々は、前記ソフトケースの正面又は裏面に沿って前記ソフトケースの頂部から底部まで上下に延びることを特徴とする請求項７に記載のギターソフトケース用プロテクタ。
【請求項９】
前記保護材の内側には、前記ギターに伝わる衝撃を低減するための緩衝材が貼り付けられる請求項１ないし８のいずれか１項に記載のギターソフトケース用プロテクタ。
【請求項１０】
前記緩衝材は、発泡樹脂素材又は半固形上のゲル状素材からなることを特徴とする請求項９に記載のギターソフトケース用プロテクタ。
【発明の詳細な説明】
【技術分野】
【０００１】
本発明は、ギターのソフトケースに装着して、ソフトケースに収容されているギターの損傷を防ぐプロテクタに関する。
【背景技術】
【０００２】
楽器、特にギター等の弦楽器は温度、湿度、外部からの衝撃等に非常に敏感でデリケートな扱いを要求されるため、人の手によって運搬することが最良といわれる。そのため、弦楽器等を運搬する場合、堅牢さと軽さを兼ね備えたケースが求められる。
【０００３】
一般に、ギターを収容するケースにはハードケースとソフトケースがある。ハードケースにおいて、堅牢且つ軽量化の手段として合成樹脂をケースの素材に用いたものが考案されている。しかしながら、素材の重量としてはまだまだ重く、軽量化という観点からは十分では無い。そのため、演奏者がスタジオやギター教室、自身のライブやバンドでのセッション等で演奏する際、ギター（エレキギター、アコースティックギター、ガットギター、ベースギター等）を持参するが、ソフトケースを使用することが一般的である。これはハードケースと比較して、コストが安くギター購入時に付属することもあって入手しやすい上に、重量が軽く徒歩での携帯に便利であるため、好んで使用されることが多い。また一定の衝撃を保護する緩衝材を内蔵し、さらにチューナー、ケーブル、エフェクター、譜面等の周辺物を携帯できるポケットを備えたギグバッグと呼ばれるソフトケースが市販されている。
【発明の開示】
【発明が解決しようとする課題】
【０００４】
なるほど、上述したギグバッグは、軽量化という観点から、ケース外側を構成する素材に化学繊維等の軽い素材を用い、ケース内側の楽器に接触する部分は発砲スチロールや軟質ポリウレタン等の衝撃を緩衝する素材で構成し、外部からの楽器への衝撃を緩和させる構造を有する。さらに、手に持つ以外にケースを背負う事ができるようにストラップを備えていて利便性は高い。しかしながらこの構成では外から圧力が加わったり接触によりねじれたりする等して楽器が破損することがあり、楽器の保護という点では十分とは言えなかった。
【０００５】
本発明は、上記課題に鑑みてなされたもので、演奏者がソフトケースにギター等弦楽器を収納した状態で、重大な損傷を受けやすい箇所を重点的に保護し、外観を損なわず、軽量であり、デザインの自由度を確保できてファッション性にも優れた、ギターソフトケース用プロテクタを提供することを目的とする。
【課題を解決するための手段】
【０００６】
上記目的を達成するため、本発明に係るソフトケース用プロテクタは、ソフトケースに収納されるギターの損傷を防ぐために、ソフトケースに装着される保護材を備えるギターソフトケース用プロテクタであって、保護材は、金属又は硬質樹脂から製造されて、ソフトケースの正面又は裏面に配置されるものであり、ソフトケースの正面視で保護材を投影してみたときに、保護材は、ギターのボディと重なる、或いはギターのボディとネック本体とのジョイントと重なることを特徴とする。
【０００７】
保護材は、ソフトケースの正面又は裏面に配置される基部と、基部から上方に延伸する第一のアーム部と、基部から下方に延伸する第二のアーム部とを備え、ソフトケースの正面視で基部を投影してみたときに、基部は、ジョイントと重なり、第一のアーム部や第二のアーム部は、基部が配置されるソフトケースの正面又は裏面からソフトケースの反対面にかけて延伸するように構成するとよい。上記を換言すると、第一のアーム部は、ギターのネック本体を抱き込むように延伸し、第二のアーム部は、ギターのボディのくびれ部分を抱き込むように延伸するように構成するとよい。
【０００８】
別の形態として、第一のアーム部は、ソフトケースの正面からソフトケースの裏面へ延伸するものであり、保護材は、第一のアーム部から上方に延伸する延伸部と、延伸部から上方に延伸する第三のアーム部とをさらに備え、延伸部は、ソフトケースの裏面で襷がけになって、ソフトケースの正面へ延伸し、第三のアーム部は、ソフトケースの正面で襷がけになって、ギターのネックヘッドを抱き込むようにソフトケースの裏面へ延伸するようにして、ネックと、ネックのヘッドと、ボディとネックとのジョイントを保護するようにしてもよい。
【０００９】
さらに別の形態として、保護材は、ソフトケースの裏面に沿ってソフトケースの頂部から底部まで上下に延びる一対の基部と、一対の基部の下端に設けられる嵌合部と、一対の基部の上端に設けられるヘッド保護部とを備え、ソフトケースの正面視でギターのネック本体やネックヘッドを投影してみたとき、ギターのネック本体やネックヘッドは、一対の基部の間に収まっており、嵌合部は、一対の基部の下端からソフトケースの正面側に延びる一対の下端延伸部と、当該一対の下端延伸部の先端から前記ソフトケースの正面に沿って上方に延びる一対の上方延伸部とを備えて、当該一対の上方延伸部と一対の基部とによってソフトケースの底部が挟持され、ヘッド保護部は、一対の基部の上端同士を連結する第一連結部と、一対の基部の上端からソフトケースの正面側に延びる一対の頂部延伸部と、ソフトケースの正面側で一対の頂部延伸部の先端同士を連結する第二連結部とを備え、ソフトケースの頂部からの側面視でネックヘッドを投影してみたときに、ネックヘッドは、第一連結部と一対の頂部延伸部と第二連結部とにより囲まれる範囲内に位置するようにして、ネックのヘッドを保護するようにしてもよい。
【００１０】
また、さらに保護材が、ソフトケースの正面又は裏面に沿ってソフトケースの頂部から底部まで上下に延びることで、ギターにおける、ボディ、ボディとネック本体とのジョイント、ネック本体、及びネックヘッドが保護材によって保護されるように構成してもよいし、又は、保護材がソフトケースの幅方向に離間する一対の枠材を備え、枠材の各々は、ソフトケースの正面又は裏面に沿ってソフトケースの頂部から底部まで上下に延びるように構成してもよい。
【００１１】
なお、保護材の内側には、前記ギターに伝わる衝撃を低減するための緩衝材が貼り付けられると好適である。緩衝材は、発泡樹脂素材又は半固形上のゲル状素材からなるようにするとよい。また、保護材は、少なくとも二つに分割されて開閉可能に構成されてもよい。
【発明の効果】
【００１２】
本発明に係るソフトケース用プロテクタによれば、ギターの構造上脆弱で重大な損傷を受けやすい箇所を、「点」から「面」に変えることができ、衝撃を分散して、保護することができる。また、軽量であって利便性が高い。また、ソフトケースの外観を損なわず、デザインの自由度を確保できてファッション性にも優れている。
【図面の簡単な説明】
【００１３】
【図１】実施例１に係る本発明のソフトケース用プロテクタ１の斜視図である。
【図２】実施例１に係る本発明のソフトケース用プロテクタ１の（ａ）は正面図、（ｂ）は背面図を示し、（ｃ）は側面図、（ｄ）は平面図である。
【図３】実施例１に係る本発明のソフトケース用プロテクタ１の使用例を示す図である。
【図４】図３に示す使用例におけるソフトケースの背面を示す図である。
【図５】ギターを収納したソフトケースにおけるプロテクタ１の保護状態を示す図である。
【図６】実施例１に係る変形形態のプロテクタ１’の（ａ）は背面から見た分解斜視図、（ｂ）は背面図を示し、（ｃ）は底面図である。
【図７】実施例２に係る本発明のソフトケース用プロテクタ２の使用例を示す、正面図（ａ）、背面図（ｂ）である。
【図８】実施例３に係る本発明のソフトケース用プロテクタ３の使用例を示す、正面図（ａ）、背面図（ｂ）である。
【図９】実施例４に係る本発明のソフトケース用プロテクタ４の使用例を示す、正面図（ａ）、背面図（ｂ）である。
【図１０】プロテクタに取り付ける装飾部材の一例を示す図である。
【図１１】ソリッドギターの構成を示す図である。
【図１２】セミアコースティックギターの構成を示す図である。
【図１３】ボディとネックのジョイントを示すギターの側面図である。
【図１４】ネックのヘッドの構造の一例を示す図である。
【図１５】ネックのヘッドの構造の別の一例を示す図である。
【発明を実施するための形態】
【００１４】
以下、本発明の実施の形態を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施の形態に限定されるものではない。
【００１５】
本発明は、ギターの構造上の問題と上述したソフトケースの弱点に注目して発明に至ったものである。実施例を説明する前に、ギターの構造と衝撃に対する課題を説明する。まず、図１１と１２を参照する。図１１は、ソリッドギターの構成を示す図であり、図１２は、セミアコースティックギターの構成を示す図である。図１１及び１２に示すとおり、ギターは、概してボディとネックからなる。図１１に示すソリッドギターのボディは空洞を有さず、図１２に示すセミアコースティックギターやアコースティックギター（図に示していない）は空洞を有する。「音」は、「振動」であり、「振動」の如何が「音色」を決める重要な要素になる。音の高さや音色の違いは、その大きさや形状、また材料の違いにより、振動する際の特徴的な周波数（自由振動の固有振動数）や周波数毎の振幅の大きさの分布（振幅スペクトル）に差があるために生じる。つまり、「音色」とは複雑に影響し合った「固有振動」をいうのである。そうすると、ギターで音を出す際には、エレキ、アコースティックを問わず、ピッキング（振動入力）→弦振動（一次振動体）→ネック・ボディ等の振動（二次振動体）というメカニズムが発生する。すなわち、ギターにおいて、ボディとネック以外の要素も音色にとって不可欠な要素である。
【００１６】
一方、ギターの構造上、衝撃等に脆弱な部分も存在する。ソリッドギター及びアコースティックギター等に共通する脆弱部分は、ボディとネックとのジョイントである。図１３を参照する。図１３は、ボディとネックのジョイントＪＮを示すギターの側面図である。ボディとネックの連結は、接着剤で両者を接着するか、又は固定金具を用いてボルト締めで固定するかされる。ボディとネックの連結において、ネック仕込み角が重要な役割を示す。「ネック仕込み角」とは、ボディに対して、ネックがどのくらいの角度でセットされているかをいい、弦の高さに影響するとともに、ギターの音色に大きな影響を与える。したがって、ソリッドギター及びアコースティックギター等において、ボディとネックのジョイントＪＮが歪んだり破損したりすることを防止する必要がある。
【００１７】
次に、アングルドヘッドの脆弱性である。図１４を参照する。図１４は、ネックのヘッドの構造の一例を示す図である。ギター等弦楽器のヘッドは、ストレートヘッドとアングルドヘッドに分類される。ストレートヘッドは、ネック本体とヘッドが称呼どおり木の板が一直線に延伸したタイプのもので、ネック本体とヘッドが単一面を形成する。他方、アングルドヘッドは、ヘッドはネック本体面と鋭角を形成し、その角度はおおむね３°から２５°になっている。アングルドヘッドの形成については、図１４（ｂ）に示すとおり、木の板の削り出しによってヘッドに角度をつけているため、木の繊維が短い部分が存在している。したがって、図１４（ａ）に示すような衝撃が加わると、（ｃ）に示すように当該木の繊維の短い部分で折れたり割れたりしやすいのである。
【００１８】
また、ヘッド角度をつける別の方法として、スカーフジョイントという手法を用いる場合がある。図１５を参照する。スカーフジョイントとは、ネックとして使用する一枚の木の板をヘッドの手前で切断し（ａ）、（ｂ）、切断した部分を裏返して、ヘッドに近い部分との切断面でヘッド角度をつけて接着し（ｃ）、削り出して完成させるものである（ｄ）。このような構造は、図１５（ｄ）で示す衝撃を受けると、接着した部材が接着面で剥がれやすいという脆弱性が存在する（ｅ）。
【００１９】
さらに、図１２に示すセミアコースティックギターやアコースティックギター（図に示していない）は空洞を有するがゆえに、ボディに対する衝撃に対して脆弱性を有する。
【実施例１】
【００２０】
実施例１を図面を参照して詳細に説明する。
【００２１】
図１ないし５を参照する。図１は、実施例１に係る本発明のソフトケース用プロテクタ１の斜視図である。図２は、実施例１に係る本発明のソフトケース用プロテクタ１の（ａ）は正面図、（ｂ）は背面図を示し、（ｃ）は側面図、（ｄ）は平面図である。図３は、実施例１に係る本発明のソフトケース用プロテクタ１の使用例を示す図である。図４は、図３に示す使用例におけるソフトケースの背面を示す図である。図５は、ギターを収納したソフトケースにおけるプロテクタ１の保護状態を示す図である。図１ないし５に示すとおり、実施例１に係るソフトケース用プロテクタ１（以下、「プロテクタ１」という）は、概して、ギターを収納したソフトケースＣに装着して使用され、収納されたギターのボディとネックとのジョイントＪＮを覆うように形成された保護材１１からなる。
【００２２】
図１及び２を参照する。保護材１１は、基部１１０と、該基部１１０から上下に延伸する第一のアーム部１１１ａ、１１１ｂと第二のアーム部１１２ａ、１１２ｂとを備える。第一のアーム部１１１ａ、１１１ｂと第二のアーム部１１２ａ、１１２ｂは、それぞれ正面から背面に延伸し、背面において第一のアーム部１１１ａと第二のアーム部１１２ａが合流した合流部１１３ａ、第一のアーム部１１１ｂと第二のアーム部１１２ｂが合流した合流部１１３ｂをそれぞれ形成する。実施例１において、合流した部分１１３ａと１１３ｂとは分離しており、間隙を備える。
【００２３】
図３及び４も合わせて説明する。図３、４はいずれも、プロテクタ１の使用例を示し、図３は正面、図４は背面を示す図である。図３及び４に示すとおり、保護材１１は、ソフトケースＣの正面及び裏面の中央に帯状の部材を襷がけにした形状ともいえる。すなわち、第一のアーム部１１１ａ、１１１ｂは、収納されたギターのネックの部分をソフトケースＣの外側から抱き込むように保持し、第二のアーム部１１２ａ、１１２ｂはボディのくびれ部分を外側から抱き込むように保持するように構成されている。図５を参照する。図５は、ギターを収納したソフトケースにおけるプロテクタ１の保護状態を示す図である。図５に示すとおり、プロテクタ１の形状により、基部１１０はボディとネックとのジョイントＪＮをピンポイントで保護することができることが理解できるであろう。なお、ソフトケースに背負いストラップが設けられている場合に、前述した間隙を備えると、プロテクタ１をソフトケースＣに装着したとき、ストラップを間隙から通すことができ、便利である。しかし、間隙をなくして表裏同じ形状にしてもよい。
【００２４】
保護材１１は、アルミニウムやステンレスの金属製又はＡＢＳ樹脂やポリカーボネート等の硬質樹脂製にするとよい。硬質性樹脂材は軟質性樹脂材やゴムなどに比較して数倍の強度を持ち、保形性も安定しているため、デザイン的加工，処理が可能で、板厚を薄くすることで、軽量化およびローコスト化が可能となり、好適である。このような素材と襷がけの形状が、衝撃を受けやすく音色に繊細に影響する「ボディとネックとのジョイント」について、衝撃を受ける部分を「点」から「面」に変え、衝撃を分散して、保護することができる。
【００２５】
また、保護材１１の内側に貼り付けられ緩衝材（図に示していない）とから構成してなるようにしてもよい。このような構成にすれば、よりギターの損傷を防止することができる。緩衝材は、発泡樹脂素材又は半固形上のゲル状素材からなるようにするとよい。発泡樹脂素材としては、ポリエチレン、エチレン酢酸ビニルコポリマ（ＥＶＡ）、エチレンアクリル酸メチルコポリマ（ＥＭＡ）、エチレンアイオノマー、ポリプロピレン、ポリプロピレンコポリマ等のポリオレフィン系樹脂、ポリウレタン系樹脂、ポリスチレン系樹脂及びポリ塩化ビニル系樹脂を用いることができる。このような素材を採用した緩衝材の働きで、プロテクタ１に受ける衝撃を、ソフトケースＣに収容されるギターへの影響を最小限にすることが可能になる。なお、緩衝材は、保護材１１の内側に接着剤で接着してもよいし、互いに合致する取付け孔を穿ち、これらを貫通するリベットで両者を接合してもよい。
【００２６】
図３を再度参照する。プロテクタ１は、ソフトケースＣにヘッド側から被せるように装着することができる。
【００２７】
図６を参照する。図６は、実施例１に係る変形形態のプロテクタ１’ の（ａ）は背面から見た分解斜視図、（ｂ）は背面図を示し、（ｃ）は底面図である。すなわち、プロテクタ１’は、上述したプロテクタ１の背面を開放し、開閉可能な扉体を形成して、背面からストラップを取り出すことが可能な仕様としている。プロテクタ１’は、二つの部材からなる。第一の部材は、基部１２０（図に示していない）と、該基部１２０から上下に延伸する第一のアーム部１２１ａ、１２１ｂと第二のアーム部１２２ａ、１２２ｂとを備える。第一のアーム部１２１ｂと第二のアーム部１２２ｂは、それぞれ正面から背面に延伸し、背面において第一のアーム部１２１ｂと第二のアーム部１２２ｂが合流した合流部１２３ｂを形成する。一方、第一のアーム部１２１aと第二のアーム部１２２ａは保護材１１の側面まで延伸している。第二の部材は、上下に延伸する第一のアーム部１２１ｃと第二のアーム部１２２ｄと、これらの合流部１２３ａを備える。第一の部材の第一のアーム部１２１aと第二の部材の第一のアーム部１２１ｃ、第一の部材の第二のアーム部１２２aと第二の部材の第二のアーム部１２２ｄは、それぞれ先端が重なり合って形成されている。なお、第一の部材の第一のアーム部１２１aと第二の部材の第一のアーム部１２１ｃ、第一の部材の第二のアーム部１２２aと第二の部材の第二のアーム部１２２ｄは、面ファスナ等で脱着可能に係止すると便利である。また、第一の部材の基部１２３ｂは凸部が形成され、第二の部材の基部１２３ａは基部１２３ｂの凸部が嵌合する凹部が形成されている。よって、図６（ｃ）に示すとおり、凸部と凹部が軸１２５で軸支しているので、第二の部材は第一の部材に対して軸１２５の軸回りに回動することができる。なお、図６（ｃ）は図に向かって上がプロテクタ１’の背面で下が正面である。図６（ａ）、（ｂ）に示すとおり、基部１２３ａと基部１２３ｂとは正面中央で分断されているのではなく、やや斜めに分断されている。これは、ソフトケースＣのストラップを取り出しやすくするためである。
【実施例２】
【００２８】
実施例２を図面を参照して詳細に説明する。
【００２９】
図７を参照する。図７は、実施例２に係る本発明のソフトケース用プロテクタ２（以下、「プロテクタ２」という）の使用例を示す、正面図（ａ）、背面図（ｂ）、右側面図（ｃ）である。プロテクタ２において、保護材２１は、ソフトケースＣの正面の中央に襷がけにした帯状の部材を、ソフトケースの正面の上部にも襷がけにして延伸し、延伸した帯状の部材はさらにソフトケースの裏面の最上部でその側部を挟み込みながら裏面を離間した状態で保持する構成である。
【００３０】
図７（ａ）、（ｂ）を参照すると、保護材２１は、基部２１０と、該基部２１０から上下に延伸する第一のアーム部２１１ａ、２１１ｂと第二のアーム部２１２ａ、２１２ｂとを備える。第一のアーム部２１１ａ、２１１ｂは正面から背面へ上方に延伸し、ソフトケースＣの背面において延伸部２１３ａ、２１３ｂが襷がけになって正面側に延伸し、第三のアーム部２１４ａ、２１４ｂが襷がけになって背面で合流しネックヘッド保護部２１５を形成している。他方、第二のアーム部１１２ａ、１１２ｂは、正面から背面へ下方に延伸し、ソフトケースＣの背面においてボディとネックとのジョイントＪＮ近傍で合流してジョイント保護部２１６を形成している。
【００３１】
図７（ｃ）も合わせて参照する。プロテクタ２は、ソフトケースＣの正面、上方及び裏面の一部に帯状の部材を襷がけにし、帯状部材の両端で合流した形状ともいえる。すなわち、第一のアーム部２１１ａ、２１１ｂは、収納されたギターのネックの部分をソフトケースＣの外側から抱き込むように保持し、第二のアーム部２１２ａ、２１２ｂはボディのくびれ部分を外側から抱き込むように保持するように構成されている点は実施例１のプロテクタ１と同様の構成であり、さらに第三のアーム部２１４ａ、２１４ｂがソフトケースＣの背面で合流しボディとネックとのジョイントＪＮ近傍で合流している。図７に示すとおり、プロテクタ２の構成により、基部２１０とジョイント保護部２１６はボディとネックとのジョイントＪＮを、ネックヘッド保護部２１５はネックのヘッドＨ、特にアングルヘッド仕様のヘッドＨを、それぞれピンポイントで保護することができることが理解できるであろう。
【００３２】
保護材２１及び緩衝材（図に示していない）の素材については、実施例１と同様であるので省略する。このような素材とダブルの襷がけの形状が、衝撃を受けやすく音色に繊細に影響する「ボディとネックとのジョイント」及びネックのヘッド、特にアングルヘッドについて、衝撃を受ける部分を「点」から「面」に変え、衝撃を分散して、保護することができる。
【実施例３】
【００３３】
実施例３を図面を参照して詳細に説明する。
【００３４】
図８を参照する。図８は、実施例３に係る本発明のソフトケース用プロテクタ３の使用例を示す、正面図（ａ）、背面図（ｂ）、右側面図（ｃ）である。実施例３に係る本発明のソフトケース用プロテクタ３（以下、「プロテクタ３」という）において、保護材３１は、ソフトケースＣの裏面の下部を保持する基部３１０と、基部３１０の一端から延伸してソフトケースＣの底部を挟持する嵌合部３１３ａ、３１３ｂ、３１４と、基部３１０の他端からソフトケースＣの最上部方向に延伸して、ソフトケースＣの裏面の最上部で裏面を離間した状態で保持するヘッド保護部３１１、３１２からなる。プロテクタ３の上記構成により、ヘッド保護部３１１、３１２が、ネックのヘッドＨ、特にアングルヘッド仕様のヘッドＨを、ピンポイントで保護することができることが理解できるであろう。
【００３５】
保護材３１及び緩衝材（図に示していない）の素材については、実施例１と同様であるので省略する。なお、実施例３において、基部３１０は枠材を用いているが、板材であってもよい。このような素材と形状が、特にアングルヘッドについて、衝撃を受ける部分を「点」から「面」に変え、衝撃を分散して、保護することができる。
【実施例４】
【００３６】
実施例４を図面を参照して詳細に説明する。
【００３７】
図９を参照する。図９は、実施例４に係る本発明のソフトケース用プロテクタ４（以下、「プロテクタ４」という）の使用例を示す、正面図（ａ）、背面図（ｂ）、右側面図（ｃ）である。プロテクタ４において、保護材４１は、ソフトケースＣの一部を頂部から底部にかけて長さ方向に覆う一対の枠材からなる基部４１１、４１２と、基部４１１と基部４１２とを架橋する架橋部４１３、４１４、４１５、４１６とからなる。実施例４において、枠材は、板部材の枠であってもよいし、一対の枠からなるようにしてもよい。保護材４１及び緩衝材（図に示していない）の素材については、実施例１と同様であるので省略する。このような素材と形状が、ネックと、ネックのヘッドＨ、特にアングルヘッド仕様のヘッドＨと、ボディとネックとのジョイントＪＮについて、衝撃を受ける部分を「点」から「面」に変え、衝撃を分散して、保護することができる。
【実施例５】
【００３８】
実施例５を図面を参照して詳細に説明する。
【００３９】
図１０は、上述したソフトケース用プロテクタ１、２、３、４に取り付ける装飾部材の一例を示す図である。装着部材５０、５１、５２の形状は、一例であって、保護材１１、２１、３１、４１の形状に合わせてデザインを変えることができる。また、装着部材５０、５１、５２の図柄を使用者の趣味・嗜好に応じて選択することができる。装着部材５０、５１、５２はソフトケースの外観を損なわず、デザインの自由度を確保できてファッション性にも優れたものを選択するとよい。
【００４０】
以上、本発明のソフトケース用プロテクタの構成例における好ましい実施形態を図示して説明してきたが、本発明の技術的範囲を逸脱することなく種々の変更が可能であることは理解されるであろう。
【産業上の利用可能性】
【００４１】
本発明に係るソフトケース用プロテクタは、ギターに限定されず、弦楽器用のソフトケースにも応用することが可能であり、プロの演奏家やアマチュアの演奏家の演奏活動に係るツールとして広く利用することができる。
【符号の説明】
【００４２】
１  １’  ２  ３  ４  プロテクタ
１１  ２１  ３１  ４１  保護材
１１０  １２０  ２１０  基部
３１０  ４１０  基部
１１１ａ  １１１ｂ  第一のアーム部
１２１ａ  １２１ｂ  第一のアーム部
１２１ｃ  第一のアーム部
２１１ａ  ２１１ｂ  第一のアーム部
１１２ａ  １１２ｂ  第二のアーム部
１２２ａ  １２２ｂ  第二のアーム部
１２２ｄ  第二のアーム部
２１２ａ  ２１２ｂ  第二のアーム部
１１３ａ  １１３ｂ  合流部
１２３ａ  １２３ｂ  合流部
２１４ａ  ２１４ｂ  第三のアーム部
２１５  ネックヘッド保護部
２１６  ジョイント保護部
１２５  軸
３１３ａ  ３１３ｂ  ３１４  嵌合部
５０  ５１  ５２  装飾部材
【図１】
2017079887.tif 000003
【図２】
2017079887.tif 000004
【図３】
2017079887.tif 000005
【図４】
2017079887.tif 000006
【図５】
2017079887.tif 000007
【図６】
2017079887.tif 000008
【図７】
2017079887.tif 000009
【図８】
2017079887.tif 000010
【図９】
2017079887.tif 000011
【図１０】
2017079887.tif 000012
【図１１】
2017079887.tif 000013
【図１２】
2017079887.tif 000014
【図１３】
2017079887.tif 000015
【図１４】
2017079887.tif 000016
【図１５】
2017079887.tif 000017